(57)【要約】【課題】パネル部材にケース部材を安定的に取り付けることができ、且つ部品点数および作業工数の削減を図ることができるブラケットを提供することである。【解決手段】パネル部材４０にケース部材３０を取り付けるために板状の受部材１０と枠状の枠部材２０とがＬ字形に形成されたブラケット１である。そして、前記受部材１０の上面１０ａには、一対の弾性突片１１、１１が形成してあり、前記受部材１０の下面１０ｂには、一対の脚座１２、１２が形成してあり、前記受部材１０における一対の脚座１２、１２の中間部には、スリット１３、１３で切り割られた弾性片１４を設けると共に、該弾性片１４の下面には下方に向けて突部１４ｂが形成してある。また、前記枠部材２０の前面側には、スライド部材２１、２１が形成してあり、前記枠部材２０の自由端には、係止爪２２が形成してある。【選択図】  図１
2006220171.tif 000002
【特許請求の範囲】
【請求項１】
パネル部材にケース部材を取り付けるために板状の受部材と枠状の枠部材とがＬ字形に形成されたブラケットであって、
前記受部材の上面には、一対の弾性突片が形成してあり、
前記受部材の下面には、パネル部材の水平面に開設された取付穴に挿入係止される一対の脚座が形成してあり、
前記受部材における一対の脚座の中間部には、スリットで切り割られた弾性片を設けると共に、該弾性片の下面には下方に向けて突部が形成してあり、
前記枠部材の前面側には、ケース部材の側面に形成された一対の被スライド部材に摺動可能な横断面Ｌ字形の一対のスライド部材が形成してあり、
前記枠部材の自由端には、ケース部材の下面を前記一対の弾性突片に押し当てた状態で該ケース部材の上面を係止可能な係止爪が形成してあるブラケット。
【請求項２】
前記一対の脚座は、縦断面逆Ｔ字形に形成してあり、該脚座と前記受部材の下面とによって形成されるガイド溝の後面側の隅部にはリブが形成してある、請求項１に記載のブラケット。
【請求項３】
前記一対の脚座における一方の一側と他方の他側には、前記パネル部材の取付穴の穴壁を押圧しながら挿入される一対の弾性翼が互いに外方向に向けて形成してある、請求項２に記載のブラケット。
【発明の詳細な説明】
【技術分野】
【０００１】
本発明は、ブラケットに関し、詳しくは、パネル部材にケース部材を取り付けるブラケットに関する。
【背景技術】
【０００２】
この種のブラケットとして、例えば断面Ｌ字形に形成されたブラケットに関する技術が既に知られている。この技術では、ブラケットの一方の面をケース部材の垂直面に予め形成された横断面Ｌ字形の一対の被スライド部材へ嵌め込んで、ケース部材にブラケットを装着させている。また、ブラケットを装着したケース部材の側面の対向する側面にも同様にブラケットを装着させている。そして、この装着状態でビスによって、ブラケットとケース部材を固定させ、その状態で、さらに、両ブラケットとパネル部材を固定させることで、パネル部材にケース部材を取り付けている。
【０００３】
なお、この出願の発明に関連する先行技術文献情報としては、例えば、特許文献１が知られている。
【特許文献１】特開平９−３５７４５４号公報
【発明の開示】
【発明が解決しようとする課題】
【０００４】
しかしながら、上述したブラケットは、ビスを介してケース部材と固定し、また同様にビスを介してパネル部材と固定する構造である。そのため、１つのブラケットに対して、ケース部材用、パネル部材用の計２本のビス止め作業が必要となっている。そして、２つのブラケットを使用してパネル部材にケース部材を取り付けているため、計４本のビス止め作業が必要となり、部品点数を多く要することになっていた。また、作業者にとって、ビス止め作業は手間を要する作業であった。
【０００５】
本発明は、このような課題を解決しようとするもので、その目的は、パネル部材にケース部材を安定的に取り付けることができ、且つ部品点数および作業工数の削減を図ることができるブラケットを提供することを課題とする。
【課題を解決するための手段】
【０００６】
本発明は、上記の目的を達成するためのものであって、以下のように構成されている。
請求項１に記載の発明は、パネル部材にケース部材を取り付けるために板状の受部材と枠状の枠部材とがＬ字形に形成されたブラケットである。そして、（Ａ）前記受部材の上面には、一対の弾性突片が形成してあり、（Ｂ）前記受部材の下面には、パネル部材の水平面に開設された取付穴に挿入係止される一対の脚座が形成してあり、（Ｃ）前記受部材における一対の脚座の中間部には、スリットで切り割られた弾性片を設けると共に、該弾性片の下面には下方に向けて突部が形成してある。また、（Ｄ）前記枠部材の前面側には、ケース部材の側面に形成された一対の被スライド部材に摺動可能な横断面Ｌ字形の一対のスライド部材が形成してあり、（Ｅ）前記枠部材の自由端には、ケース部材の下面を前記一対の弾性突片に押し当てた状態で該ケース部材の上面を係止可能な係止爪が形成してある構成である。
上記構成（Ｄ）によって、ケース部材にブラケットを上方向へスライドさせながら装着することができる（ガイド効果）。しかし、このスライドによる装着のみでは、ケース部材はブラケットに対し上下方向に変位可能な状態である。そのため、上記構成（Ａ）および（Ｅ）によって、ケース部材の上下面を係止することができる（係止効果）。
また、上記構成（Ｂ）によって、パネル部材に形成の取付穴にブラケットの脚座を挿入させながらケース部材にブラケットを装着することができる。しかし、この装着のみでは、不安定な装着状態である。そのため、上記構成（Ｃ）によって、パネル部材とブラケットをロック状態にすることができる（ロック効果）。
そのため、パネル部材にケース部材を安定的に取り付けることができる。また、取り付けの部品点数および作業工数の削減を図ることができる。
【０００７】
請求項２に記載の発明は、請求項１に記載のブラケットであって、（Ｆ）前記一対の脚座は、縦断面逆Ｔ字形に形成してあり、（Ｇ）該脚座と前記受部材の下面とによって形成されるガイド溝の後面側の隅部にはリブが形成してある構成である。
上記構成（Ｆ）によって、ブラケットの下面と脚座１２に形成のガイド溝４３にパネル部材４０の取付穴４１の穴壁を挟み込ませることができる（挟み込み効果）。そして、このように挟み込ませると、上記構成（Ｇ）のリブが押し潰され挟み込み効果がより堅牢なものとなる（潰しリブ効果）。
そのため、請求項１に記載のブラケットより、さらに安定的に取り付けることができる。
【０００８】
請求項３に記載の発明は、請求項２に記載のブラケットであって、（Ｈ）前記一対の脚座における一方の一側と他方の他側には、前記パネル部材の取付穴の穴壁を押圧しながら挿入される一対の弾性翼が互いに外方向に向けて形成してある構成である。
上記構成（Ｈ）によって、上記構成（Ｂ）に記載した挿入係止がより堅牢なものとなる。（第１撓み効果）
そのため、請求項２に記載のブラケットより、さらに安定的に取り付けることができる。
【発明を実施するための最良の形態】
【０００９】
以下、本発明を実施するための最良の形態を、図１〜１１を用いて説明する。
図１は、ブラケット１の斜視図である。図２は、ブラケット１の斜視図であり、図１と異なる方向から見た斜視図である。図３は、ブラケット１の正面図である。図４は、ブラケット１の側面図である。図５は、ブラケット１をケース部材３０およびパネル部材４０に組み付け前の斜視図である。図６は、ブラケット１をケース部材３０に組み付け後の側面図である。図７は、ケース部材３０を組み付けたブラケット１の脚座１２をパネル部材４０の取付穴４１に挿入した状態における、図３のＡ−Ａ線断面図である。図８は、ケース部材３０を組み付けたブラケット１の脚座１２をパネル部材４０の取付穴４１に挿入した状態における、図３のＢ−Ｂ線断面図である。図９は、ケース部材３０を組み付けたブラケット１の脚座１２をパネル部材４０の取付穴４１に挿入した状態における、図４のＣ−Ｃ線断面図である。図１０は、図７の両ブラケット１およびケース部材３０をパネル部材４０に対して左方向へ摺動させた状態を表している。図１１は、図１０の状態における、図３のＢ−Ｂ線断面図である。
【００１０】
まず、図１〜図４を参照して、本発明のブラケット１を説明する。このブラケット１は、合成樹脂による一体成形品である。これらの図からも明らかなように、ブラケット１は、板状の受部材１０と枠状の枠部材２０とで構成されている。そして、この受部材１０と枠部材２０とは、略９０°の角度を有するように側面Ｌ字形に形成されている。以下に、受部材１０と枠部材２０とに分けて説明する。
【００１１】
［受部材１０について］
受部材１０について説明する。図１に示すように、この受部材１０は、板状に構成され、その上面１０ａには、一対の弾性突片１１、１１が形成してある。この両弾性突片１１は上面１０ａとの間隔が狭まる方向へ弾性変形可能となっている。また、受部材１０の下面１０ｂには、後述するパネル部材４０の水平面に開設された取付穴４１に挿入係止される一対の脚座１２、１２が形成してある。また図４に示すように、この両脚座１２は、縦断面逆Ｔ字形に形成してあり、脚座１２と前記受部材１０の下面１０ｂとによって形成されるガイド溝４３の後面側（図４において、右側）の隅部にはリブ１２ｃが形成してある。
【００１２】
また、両脚座１２における、一方の一側（図３において、左側の脚座１２の左側）と他方の他側（図３において、右側の脚座１２の右側）には、パネル部材４０の取付穴４１の穴壁を押圧しながら挿入される一対の弾性翼１２ｄ、１２ｄが互いに外方向に向けて形成してある。この両弾性翼１２ｄは脚座１２との間隔が狭まる方向へ弾性変形可能となっている。また、受部材１０における両脚座１２の中間部には、スリット１３で切り割られた弾性片１４を設けると共に、該弾性片１４の下面１４ａには下方に向けて突部１４ｂが形成してある。この弾性片１４は受部材１０の上面１０ａとの間隔が拡がる方向へ弾性変形可能となっている。
【００１３】
［枠部材２０について］
枠部材２０について説明する。図１に示すように、この枠部材２０は、枠状に構成され、その前面側（図１において、Ｙ軸方向側）には、後述するケース部材３０の側面３０ｃに形成された一対の被スライド部材３１、３１に摺動可能な横断面Ｌ字形の一対のスライド部材２１、２１が形成してある。また、枠部材２０の自由端（図１において、Ｚ軸方向側であり、受部材１０と連接していない側の辺）には、ケース部材３０の下面３０ａを受部材１０の上面１０ａに形成の一対の弾性突片１１、１１に押し当てた状態で該ケース部材３０の上面３０ｂを係止可能な係止爪２２が幅方向（図１において、Ｘ軸方向）一帯に形成してある。
【００１４】
［ケース部材３０について］
ケース部材３０について説明する。図５に示すように、このケース部材３０は、箱状に構成され、その側面３０ｃには上述した一対の被スライド部材３１、３１が形成してある。この一対の被スライド部材３１、３１は横断面Ｌ字形に上面３０ｂから下面３０ａまで一様に形成されている。そのため、この両被スライド部材３１の下端面３１ａと上端面３１ｂは、ケース部材３０の下面３０ａと上面３０ｂとそれぞれ同一面上となる。そして、この一対の被スライド部材３１、３１は、ブラケット１の枠部材２０に形成してある一対のスライド部材２１、２１に対して上下方向に摺動可能となっている。なお、この一対の被スライド部材３１、３１は、ケース部材３０における対向する側面３０ｃにも同様に形成してある。
【００１５】
［パネル部材４０について］
パネル部材４０について説明する。図５に示すように、このパネル部材４０は、板状に構成され、その水平面には上述したブラケット１に形成の一対の脚座１２、１２を挿入可能な取付穴４１、４１が形成してある。また、この両取付穴４１の中間部、且つパネル部材４０の中心方向にはロック穴４２が形成してある。このロック穴４２には、ブラケット１の受部材１０に形成の突部１４ｂが嵌めこみ可能となっている。なお、この両取付穴４１は、パネル部材４０において対向する位置にも形成してある。この対向する位置とは、ケース部材３０の対向する両側面３０ｃにそれぞれブラケット１を取り付けたときの両ブラケット１の各脚座１２に相当する位置である。このように、パネル部材４０には、４つの取付穴４１と１つのロック穴４２が形成してある。
【００１６】
［パネル部材４０にケース部材３０を取り付ける構成について］
続いて、上述したブラケット１を使用して、パネル部材４０にケース部材３０を取り付ける構成について説明する。この構成では、まずケース部材３０にブラケット１を装着させている。そして、その状態で、パネル部材４０にブラケット１を装着させることによって、パネル部材４０にケース部材３０を取り付けている。そのため、「ケース部材３０にブラケット１を装着させる構成」および「パネル部材４０にブラケット１を装着させる構成」に大別してそれぞれ説明していく。
【００１７】
まず、「ケース部材３０にブラケット１を装着させる構成」について説明する。図５に示すように、ケース部材３０の下方から上方に向けてブラケット１のスライド部材２１をケース部材３０の被スライド部材３１に摺動させていく。すると、図６に示すように、ケース部材３０の下面３０ａとブラケット１の上面１０ａに形成した一対の弾性突片１１、１１とが押し当てられた状態になると共に、両被スライド部材３１の上端面３１ｂをブラケット１の枠部材２０に形成の係止爪２２が当接する。この摺動によって、スライド部材２１と被スライド部材３１は互いに案内ガイド作用をもたらすことになる。そのため、水平方向にガタが生じることなく、ケース部材３０にブラケット１を装着させることができる（ガイド効果）。
【００１８】
また、ブラケット１の受部材１０に形成の弾性突片１１の上端と枠部材２０に形成の係止爪２２下端の垂直方向の距離（図４において、「Ｌ」）は、ケース部材３０の高さと「同じ」若しくは「若干短く」なるように設定してある。そのため、ケース部材３０の下面３０ａを弾性突片１１に押し当て、該弾性突片１１を下方に撓ませた状態で、係止爪２２は被スライド部材３１の上端面３１ｂを係止することになる。この係止状態では、弾性突片１１の撓みによる反作用によって、被スライド部材３１の上端面３１ｂは係止爪２２を押し当てることになる。そのため、上下方向にガタが生じることなく、ケース部材３０にブラケット１を装着させることができる（係止効果）。なお、ケース部材３０の対向する側面３０ｃにも同様にブラケット１を取り付ける。
【００１９】
このように、ケース部材３０にブラケット１を装着させる、上述したガイド効果、係止を有した状態で装着させることができる。そのため、この装着は堅牢なものとなり、ガタが生じることなく安定した装着となる。また、この装着を解除するには、上述した係止解除を実施してから両ブラケット１を元の方向（図５において、下方向）へ摺動させてケース部材３０からブラケット１を取り外すことができる。そのため、両ブラケット１とケース部材３０は、装着だけでなく、その取り外しも容易に実施できることになる。
【００２０】
なお、実施例では「係止爪は、被スライド部材の上端面を係止する」構成となっている。一方、特許請求の範囲では「係止爪は、ケース部材の上面を係止する」構成となっている。そのため、実施例と特許請求の範囲の記載では相違点を有している。しかし、既に述べたようにケース部材３０の上面３０ｂと被スライド部材３１の上端面３１ｂは同一面上であるため、この場合、被スライド部材３１の上端面３１ｂをケース部材３０の上面３０ｂとみなして問題ない。
【００２１】
次に、「パネル部材４０にブラケット１を装着させる構成」について説明する。図７に示すように、ケース部材３０にブラケット１を装着させた状態で、ブラケット１の受部材１０の下面１０ｂがパネル部材４０の上面４０ａに当接するまで、ブラケット１の脚座１２をパネル部材４０の取付穴４１へ挿入する。このように挿入すると、図８に示すように、ブラケット１の弾性片１４に形成の突部１４ｂがパネル部材４０の上面４０ａに押し当てられるため、突部１４ｂとともに弾性片１４は上方へ撓んでいく。また、このように挿入すると、図９に示すように、両脚座１２に形成の両弾性翼１２ｄが内方へ向かって撓んでいく。そのため、ブラケット１はパネル部材４０に対して幅方向（図９において、左右方向）にガタが生じることはない（第１撓み効果）。
【００２２】
そして、このように両ブラケット１の各脚座１２をケース部材３０の取付穴４１に挿入させた状態で、ブラケット１の前後方向のいずれか一方向へ両ブラケット１をパネル部材４０に対して摺動させる。なお、既に説明したように、この状態ではケース部材３０にブラケット１は装着されているため、両ブラケット１とケース部材３０は一体である。このブラケット１の前後方向のいずれか一方向とは、図７において左右方向のいずれか一方向であり、左方向を例に説明する。両ブラケット１（含むケース部材３０）を、図７において左方向へパネル部材４０に対して摺動させる。
【００２３】
すると、ブラケット１の脚座１２に形成のガイド溝４３（この場合、図７において、右側ブラケット１の前面側に形成のガイド溝４３と左側ブラケット１の後面側に形成のガイド溝４３）にパネル部材４０の取付穴４１の穴壁が挟み込まれ係止される状態となる（図１０参照）。なお、この状態が特許請求の範囲に記載の「取付穴に挿入係止される」状態である。そのため、ブラケット１の脚座１２がパネル部材４０の取付穴４１から抜け落ちることはない（挟み込み効果）。また、このように挟み込ませることによって、脚座１２に形成のリブ１２ｃが取付穴４１の壁面によって潰される。なお、この場合、両ブラケット１（含むケース部材３０）を左方向へ摺動させたため、図７において左側のブラケット１に形成のリブ１２ｃが潰され、右側のブラケット１に形成のリブ１２ｃは潰されない。このように、リブ１２ｃが潰れることによって、リブ１２ｃが潰された側のブラケット１とパネル部材４０との係止が、より堅牢なものになる（潰しリブ効果）。
【００２４】
また、このように左側へ摺動させることにより、図１１に示すように、右側のブラケット１の受部材１０の弾性片１４に形成の突部１４ｂがパネル部材４０に形成のロック穴４２へ嵌め込まれる。そのため、パネル部材４０に対して確実にブラケット１を固定させロック状態とすることができる（ロック効果）。なお、このロック解除の方法としては、ブラケット１の後面側から、例えば「マイナスドライバ」の先端を弾性片１４の下面１４ａとパネル部材４０の上面４０ａの間に挿入させて弾性片１４を上方へ撓ませる。このようにして簡便にロック解除が可能である。
【００２５】
また、この図１１からも明らかなように、パネル部材４０には、左側のブラケット１の突部１４ｂに対応するロック穴４２は形成されていない。そのため、左側のブラケット１の突部１４ｂは、弾性片１４の弾性作用によってパネル部材４０の上面４０ａを押し当てたままの状態である。そのため、パネル部材４０に対して上下方向のガタ防止となる（第２撓み効果）。また、このように両ブラケット１（含むケース部材３０）を左側へ摺動させても（図９において、ブラケット１を図面「奥方向」へ摺動させても）、両弾性翼１２ｄの撓み形状は変化しないため、上述した第１撓み効果を得ることができる。
【００２６】
このように、パネル部材４０にブラケット１を装着させると、上述した第１撓み効果、挟み込み効果、潰しリブ効果、ロック効果、第２撓み効果を有した状態で装着させることができる。そのため、この装着は堅牢なものとなり、ガタが生じることなく安定した装着となる。また、この装着を解除するには、上述したロック解除を実施してから両ブラケット１を元の方向（図７において、右方向）へ摺動させた後に、両ブラケット１の各脚座１２をパネル部材４０の取付穴４１から外すことができる。そのため、両ブラケット１とパネル部材４０は、装着だけでなく、その取り外しも容易に実施できることになる。
【００２７】
上述した内容は、あくまでも本発明の一実施の形態に関するものであって、本発明が上記内容に限定されることを意味するものではない。
例えば、実施例では、両ブラケット１（含むケース部材３０）を、図７においてパネル部材４０に対して左方向へ摺動させる構成を例に説明した。しかし、これに限定されるものでなく、図７においてパネル部材４０に対して右方向へ摺動させる構成でも構わない。その場合には、図７において右側のブラケット１に形成のリブ１２ｃが潰され、左側のブラケット１に形成のリブ１２ｃは潰されない。
【図面の簡単な説明】
【００２８】
【図１】図１は、ブラケット１の斜視図である。
【図２】図２は、ブラケット１の斜視図であり、図１と異なる方向から見た斜視図である。
【図３】図３は、ブラケット１の正面図である。
【図４】図４は、ブラケット１の側面図である。
【図５】図５は、ブラケット１をケース部材３０およびパネル部材４０に組み付け前の斜視図である。
【図６】図６は、ブラケット１をケース部材３０に組み付け後の側面図である。
【図７】図７は、ケース部材３０を組み付けたブラケット１の脚座１２をパネル部材４０の取付穴４１に挿入した状態における、図３のＡ−Ａ線断面図である。
【図８】図８は、ケース部材３０を組み付けたブラケット１の脚座１２をパネル部材４０の取付穴４１に挿入した状態における、図３のＢ−Ｂ線断面図である。
【図９】図９は、ケース部材３０を組み付けたブラケット１の脚座１２をパネル部材４０の取付穴４１に挿入した状態における、図４のＣ−Ｃ線断面図である。
【図１０】図１０は、図７の両ブラケット１およびケース部材３０をパネル部材４０に対して左方向へ摺動させた状態を表している。
【図１１】図１１は、図１０の状態における、図３のＢ−Ｂ線断面図である。
【符号の説明】
【００２９】
１      ブラケット
１０    受部材
１０ａ  上面
１０ｂ  下面
１１    弾性突片
１２    脚座
１２ｃ  リブ
１２ｄ  弾性翼
１３    スリット
１４    弾性片
１４ａ  下面
１４ｂ  突部
２０    枠部材
２１    スライド部材
２２    係止爪
３０    ケース部材
３０ａ  下面
３０ｂ  上面
３０ｃ  側面
３１    被スライド部材
４０    パネル部材
４０ａ  上面
４１    取付穴
【図１】
2006220171.tif 000003
【図２】
2006220171.tif 000004
【図３】
2006220171.tif 000005
【図４】
2006220171.tif 000006
【図５】
2006220171.tif 000007
【図６】
2006220171.tif 000008
【図７】
2006220171.tif 000009
【図８】
2006220171.tif 000010
【図９】
2006220171.tif 000011
【図１０】
2006220171.tif 000012
【図１１】
2006220171.tif 000013